(57)【要約】【目的】  本発明の目的は、移動体を任意な形状とすることができ且つ移動体の動作を制御することができる新規な移動体旋回装置及びこれを備えた遊戯装置を提供する。【構成】  パチンコ機である遊戯装置に備えられる装置であって、ベース部１００に回転可能に取り付けられており且つ長さ方向にわたってスリット２１０が設けられた円筒状の回転体２００と、この回転体２００に同心配置されており且つ外周面に螺旋状の溝部３０１が設けられた円柱体３００と、回転体２００のスリット２１０に挿入され、円柱体３００の溝部３０１に移動可能に嵌まり込むランナ部４１１を有する移動体４００と、回転体２００を回転させる駆動手段５００とを具備する。【選択図】      図１
2006141605.tif 000002
【特許請求の範囲】
【請求項１】
長さ方向にわたってスリットが設けられた円筒状の回転体と、この回転体に同心配置されており且つ外周面に螺旋状の溝部が設けられた円柱体と、回転体のスリットに挿入され、前記円柱体の溝部に移動可能に嵌まり込むランナ部を有する移動体と、回転体を回転させる駆動手段とを具備することを特徴とする移動体旋回装置。
【請求項２】
請求項１記載の移動体旋回装置において、前記移動体は、先端部に前記ランナ部が設けられた軸部と、この軸部の後端部に取り付けらた移動体本体とを有する構成となっていることを特徴とする移動体旋回装置。
【請求項３】
請求項１記載の移動体旋回装置において、前記円柱体の外周面には、螺旋状の凸脈が設けられており、この凸脈間が前記溝部となっていることを特徴とする移動体旋回装置。
【請求項４】
請求項２記載の移動体旋回装置において、前記移動体の軸部の中間部には、前記回転体のスリットの端面が当接可能な凹部が設けられていることを特徴とする移動体旋回装置。
【請求項５】
請求項１記載の移動体旋回装置において、駆動手段の駆動を制御する制御部を有することを特徴とする移動体旋回装置。
【請求項６】
パチンコ機、パチスロ機又は業務用のゲーム機等の遊戯装置において、請求項１、２、３又は４記載の移動体旋回装置と、この移動体旋回装置の駆動手段の駆動を制御する制御部とを備えたことを特徴とする遊戯装置。
【発明の詳細な説明】
【技術分野】
【０００１】
本発明は、移動体が旋回する玩具である移動体旋回装置及びこれを備えた遊戯装置に関する。
【背景技術】
【０００２】
従来の移動体が旋回する玩具としては、ハウジングの内部に設けられた螺旋状のガイド部材に沿って球状の移動体が自重により螺旋運動しながら降下するもの( 特許文献１参照) や筒状のハウジングの内部に設けられた柱体をリング状の移動体が自重により旋回運動しながら降下するもの( 特許文献２参照) 等がある。
【０００３】
【特許文献１】特許第３１６８１６６号公報
【特許文献２】実開昭６０−７３５９８号公報
【発明の開示】
【発明が解決しようとする課題】
【０００４】
ところが、前記玩具は、いずれも移動体が自重により降下する仕組みになっていることから、移動体を運動開始位置に自動復帰させたり重力に逆らう方向に移動させたりすることができない。即ち、移動体の動作を制御することができないという欠点を有している。このため、前記玩具は幼児用玩具としてのみ使用されている。しかも、移動体がハウジングの内部を移動する構造となっているので、移動体の外形がハウジングの形状に依存するという別の欠点も有している。
【０００５】
本発明は、上記事情に鑑みて創案されたものであって、その目的とするところは、移動体を任意な形状とすることができ且つ移動体の動作を制御することができる新規な移動体旋回装置及びこれを備えた遊戯装置を提供することにある。
【課題を解決するための手段】
【０００６】
上記課題を解決するために、本発明の移動体旋回装置は、長さ方向にわたってスリットが設けられた円筒状の回転体と、この回転体に同心配置されており且つ外周面に螺旋状の溝部が設けられた円柱体と、回転体のスリットから挿入され、前記円柱体の溝部に移動可能に嵌まり込むランナ部を有する移動体と、回転体を回転させる駆動手段とを具備することを特徴としている。
【０００７】
前記円柱体の外周面には、螺旋状の凸脈が設けられており、この凸脈間が前記溝部となっている。また、前記移動体は、先端部に前記ランナ部が設けられた軸部と、この軸部の後端部に取り付けらた移動体本体とを有する構成となっている。更に、前記移動体の軸部の中間部には、前記回転体のスリットの端面が当接可能な凹部が設けられていることが好ましい。なお、駆動手段の駆動を制御する制御部を備えることができる。
【発明の効果】
【０００８】
本発明の請求項１、２及び３に係る移動体旋回装置による場合、駆動手段により回転体を回転させると、回転体のスリットの端面により移動体が押圧され、これにより移動体が回転体に同心配置された円柱体の溝部に沿って螺旋運動するようになっている。即ち、駆動手段を制御することにより回転体の回転方向を切り替えたり回転のスピードを調節したりすることができるので、移動体の動作を制御することができる。このため、従来例に比べて移動体の動作を多彩にすることができるので、この装置の看者を楽しませることができる。しかも、移動体はランナ部だけが回転体の内部に配置される構成となっている。即ち、移動体本体は回転体の外部に配置される構成となっているので、移動体の外形が回転体の形状に依存することがなく、任意に設定することができる。
【０００９】
本発明の請求項４に係る移動体旋回装置による場合、移動体の軸部の中間部には回転体のスリットの端面が当接可能な凹部が設けられている。即ち、移動体はランナ部が前記溝部に嵌まり込むと共に、前記凹部に回転体のスリットの端面が当接し嵌まり込んだ状態で螺旋運動するようになっているので、移動体の動作を安定させることができる。
【００１０】
本発明の請求項５に係る移動体旋回装置による場合、制御部により駆動手段の駆動を制御することにより自動的に移動体の動作を制御することができるので、玩具としてだけでなく装飾機器等としても用いることが可能になる。よって、様々な用途に使用することが可能になる。
【００１１】
本発明の請求項６に係る遊戯装置による場合、上記移動体旋回装置と同様の効果を得ることができる。
【発明を実施するための最良の形態】
【００１２】
以下、本発明の実施の形態に係る移動体旋回装置について図面を参照しながら説明する。図１は本発明の実施の形態に係る移動体旋回装置の斜視図、図２は同装置の分解斜視図、図３は図１のＡ−Ａ断面図、図４は同装置のベース部の各部を示す図であって、( ａ) が下ベースの斜視図、( ｂ) が上ベースの斜視図、図５は同装置の円柱体の斜視図、図６は同装置の回転体の斜視図、図７は同装置の移動体の斜視図、図８は同装置の駆動手段の側面図、図９は同装置の蓋体の斜視図、図１０は同装置の移動体の設計変更例を示す斜視図である。
【００１３】
図１及び図２に示す移動体旋回装置は、パチンコ機である遊戯装置( 図示しない) に備えられる装置であって、ベース部１００に回転可能に取り付けられており且つ長さ方向にわたってスリット２１０が設けられた円筒状の回転体２００と、この回転体２００に同心配置されており且つ外周面に螺旋状の溝部３０１が設けられた円柱体３００と、回転体２００のスリット２１０に挿入され、円柱体３００の溝部３０１に移動可能に嵌まり込むランナ部４１１を有する移動体４００と、回転体２００を回転させる駆動手段５００とを具備する構成となっている。なお、この移動体旋回装置は遊戯装置に備えられた状態でＸ領域のみが外部に露出する。即ち、遊戯装置の操作者は移動体旋回装置のＸ領域のみを見ることができる。
【００１４】
ベース部１００は、図１、図２及び図４に示すように、回転体２００及び円柱体３００が嵌まり込む円柱状の凹部１１１を有する下ベース１１０と、この下ベース１１０と対向配置されており且つ回転体２００及び円柱体３００が挿入される円形の貫通孔１２１を有する上ベース１２０と、この下ベース１１０及び上ベース１２０を支持する４本の支柱１３０とを有している。
【００１５】
下ベース１１０は矩形状の台である。この下ベース１１０の中央部の図示右側部には凹部１１１が設けられており、四隅には支柱１３０が嵌まり込む円柱状のネジ孔１１２が設けられている。凹部１１１の底面には、図４に示すように、円柱体３００の下端面の下側嵌合部３３０に嵌合する略三角錐状の突起１１１ａが設けられている。
【００１６】
上ベース１２０は下ベース１１０と同様の矩形状の台である。この上ベース１２０の中央部の図示右側部には、貫通孔１２１と、この貫通孔１２１に挿入された回転体２００及び円柱体３００の上端部を覆う後述する蓋体６００を取り付けるための略Ｕ字状の第１の取付溝１２２とが設けられている。上ベース１２０の中央部の図示左側部には、図４に示すように、第１の取付溝１２２と対向しており且つ駆動手段５００を取り付けるための略Ｕ字状の第２の取付溝１２３と、この第２の取付溝１２３の略中心部に位置し且つ駆動手段５００の駆動軸５３０が挿入される貫通孔である軸孔１２４とが設けられている。また、上ベース１２０の四隅には、支柱１３０をネジ止めするためのネジ孔１２５が設けられている。
【００１７】
支柱１３０は、円柱状をしており、その上端部、下端部が上ベース１２０にネジ孔１２５、下ベース１１０のネジ孔１１２に挿入され、ネジ止めされるようになっている。
【００１８】
円柱体３００は、図１、図２及び図５に示すように、下端部が下ベース１１０の凹部１１１に挿入される一方、上端部が上ベース１２０の貫通孔１２１に挿入される。この円柱体３００の外周面には螺旋状の凸脈３１０が設けられている。この凸脈３１０の間が移動体４００のランナ部４１１が移動可能に嵌まり込む溝部３０１となる。また、円柱体３００の上端面には、蓋体６００の突起６１１が嵌合する略Ｔ字状の凹部である上側嵌合部３２０( 図２参照) が設けられており、下端面には下ベース１１０の突起１１１ａが嵌合する略三角錐状の凹部である下側嵌合部３３０( 図５参照) が設けられている。即ち、下側嵌合部３３０に下ベース１１０の突起１１１ａが嵌合し、且つ上側嵌合部３２０に蓋体６００の突起６１１が嵌合することにより、円柱体３００が下ベース１１０及び蓋体６００が取り付けられた上ベース１２０に固定される。
【００１９】
回転体２００は、図１、図２及び図６に示すように、下端部が下ベース１１０の凹部１１１に回転可能に嵌まり込む一方、上端部が上ベース１２０の貫通孔１２１に挿入される。この回転体２００には、３つのスリット２１０が等間隔で設けられている。このスリット２１０は矩形状をしており、その上端部が開放されている。即ち、回転体２００は、下端部を除く部分がスリット２１０により３つに分割されている。また、スリット２１０は、当該スリット２１０の他の部分よりも幅広にされた幅広部２１１を有している。この幅広部２１１は、回転体２００に同心配置された円柱体３００の凸脈３１０の上端部よりも上側の位置に設けられている。即ち、幅広部２１１は、移動体４００の軸部４１０をスリット２１０内に挿入するための挿入口となる。
【００２０】
この回転体２００は、スリット２１０により三分割された部分の上端部２０１、２０２、２０３が駆動手段５００の第３のギヤ５５０のスリット部５５１、５５１、５５１に嵌合するようになっている。即ち、第３のギヤ５５０の回転に伴って回転体２００が回転するようになっている。
【００２１】
移動体４００は、図３及び図７に示すように、先端部にランナ部４１１が設けられた軸部４１０と、この軸部４１０の後端部に取り付けらた移動体本体４２０とを有する。移動体本体４２０は略三角柱体であって、その頂部に軸部４１０の後端部が取り付けられている。軸部４１０は、その中間部に板状の第１、第２の凸部４１２、４１３が設けられている。軸部４１０のランナ部４１１は円柱体３００の溝部３０１上を移動し易くするために円柱状にされている。第１、第２の凸部４１２、４１３は、その間が回転した回転体２００のスリット２１０の端面が当接し嵌まり込む凹部４１４となる。このように移動体４００は、ランナ部４１１が円柱体３００の溝部３０１に嵌まり込むと共に、凹部４１４に回転体２００のスリット２１０の端面が嵌まり込んだ状態で螺旋運動するようになっているので、移動体４００の螺旋運動を安定させることができる。
【００２２】
駆動手段５００は、図２及び図８に示すように、ＤＣモータであるモータ５１０と、このモータ５１０のウォームギアに螺合するウォームホイール５２０と、一端部がウォームホイール５２０に取り付けられており且つ他端部が上ベース１２０の軸孔１２４に挿入される駆動軸５３０と、この駆動軸５３０の他端部に取り付けられた第１のギヤ５４０と、この第１のギヤ５４０に螺合する第２のギヤ５５０と、モータ５１０、ウォームホイール５２０、駆動軸５３０及び第１のギヤ５４０が組み込まれており且つ上ベース１２０の第２の取付溝１２３に取り付けられる筐体５６０とを有する構成となっている。
【００２３】
モータ５１０は、ウォームギア及びウォームホイール５２０のギヤ構成を用いることにより、その出力方向を９０°変換させ、その出力が大きくなるようにしている。
【００２４】
第２のギヤ５５０は、外周面に歯が設けられたリング体あって、回転体２００の上端部２０１、２０２、２０３が嵌合する３つのスリット部５５１、５５１、５５１が等間隔で設けられている。スリット部５５１、５５１、５５１が回転体２００の上端部２０１、２０２、２０３に嵌合することにより、第２のギヤ５５０が回転体２００に取り付けられる。即ち、モータ５１０の出力が、ウォームホイール５２０、駆動軸５３０及び第１、第２のギヤ５４０、５５０を通じて回転体２００に伝わり、これにより回転体２００が周方向に回転する。
【００２５】
蓋体６００は、図９に示すように、蒲鉾状の板部６１０とこの板部６１０の周縁部に立設された略Ｕ字状の壁部６２０とを有する構成となっている。即ち、この蓋体６００は平坦部が開放された形状となっている。壁部６２０は上ベース１２０の第１の取付溝１２２に嵌まり込み取り付けられる。この状態で蓋体６００の開放部から回転体２００に取り付けられた駆動手段５００の第２のギヤ５５０の一部が露出し、第１のギヤ５４０に螺合している。一方、板部６１０の下面には、Ｔ字状の突起６１１が設けられている。この突起６１１は円柱体３００の上端面の上側嵌合部３２０が嵌合する。
【００２６】
以下、この移動体旋回装置の組み立て手順について説明する。まず、駆動軸５３０を上ベース１２０の軸孔１２４に位置合わせをしつつ挿入し、モータ５１０、ウォームホイール５２０、駆動軸５３０及び第１のギヤ５４０が組み込まれた筐体５６０を上ベース１２０の第２の取付溝１２３に取り付ける。
【００２７】
そして、回転体２００の内部に円柱体３００を挿入し同心配置する。この回転体２００及び円柱体３００を下ベース１１０の凹部１１１に挿入する。そして、円柱体３００の下側嵌合部３３０に下ベース１１０の凹部１１１の突起１１１ａを嵌合させる。そして、支柱１３０の下端部を下ベース１１０のネジ孔１１２に挿入し、ネジ止めする。
【００２８】
その後、上記上ベース１２０の貫通孔１２１に、回転体２００及び円柱体３００を挿入する。これにより回転体２００及び円柱体３００が上ベース１２０上に突出する。そして、支柱１３０の上端部を上ベース１２０のネジ孔１２５に位置合わせをしつつ挿入し、ネジ止めする。その後、駆動手段５００の第２のギヤ５５０のスリット部５５１、５５１、５５１に、回転体２００の上端部２０１、２０２、２０３を挿入する。そして、第２のギヤ５５０を、上ベース１２０上の第１のギヤ５４０に螺合させる。この状態で、蓋体６００の突起６１１を円柱体３００の上側嵌合部３２０に嵌合させ、当該蓋体６００を上ベース１２０の第１の取付溝１２２に取り付ける。その後、移動体４００を回転体２００のスリット２１０の幅広部２１１から挿入し、当該移動体４００のランナ部４１１を円柱体３００の溝部３０１に嵌合させる。
【００２９】
このように組み立てられた移動体旋回装置は遊戯装置に備えられ、図示しないモータ５１０の電源ラインが当該遊戯装置の基板に接続される。即ち、遊戯装置の制御部によりモータ５１０の回転スピード及び／又はモータ５１０の回転方向が制御される。具体的には、遊戯装置の制御部は、遊技球が入賞すると、メモリ部に予め記録されたモータ５１０の駆動パターンを示す所定のパターンでモータ５１０を電圧制御するようになっている。以下、移動体旋回装置の使用方法及び動作について詳しく説明する。
【００３０】
まず、遊戯球が入賞すると、遊戯装置の制御部は、メモリ部上の所定のパターンでモータ５１０を電圧制御する。すると、前記パターンでモータ５１０が駆動する。これにより、モータ５１０の出力が、ウォームホイール５２０、駆動軸５３０及び第１、第２のギヤ５４０、５５０を通じて回転体２００に伝わり、これにより回転体２００が所定のパターンで周方向に回転する。
【００３１】
回転体２００が回転すると、この回転体２００のスリット２１０の端面が移動体４００の軸部４１０の凹部４１４に嵌まり込み当接する。そして、スリット２１０の端面により移動体４００の軸部４１０の凹部４１４が押圧され、当該移動体４００が円柱体３００の溝部３０１に沿って螺旋運動する。このようにして移動体４００が回転体２００の周りを旋回する。
【００３２】
このような移動体旋回装置による場合、駆動手段５００により回転体２００を周方向に回転させると、回転体２００のスリット２１０の端面により移動体４００が押圧され、これにより移動体４００が円柱体３００の溝部３０１に沿って螺旋運動するようになっている。即ち、駆動手段５００を制御することにより回転体２００の回転方向を切り替えたり回転のスピードを調節したりすることができるので、移動体４００の動作を制御することができる。このため、従来例に比べて移動体４００の動作を多彩にすることができるので、この装置の看者( 即ち、遊戯装置の操作者) の入賞時の喜びや興奮等を心理的に誘起させることが可能になる。しかも、移動体４００はランナ部４１１だけが回転体２００の内部に配置される構成となっている。即ち、移動体本体４２０は回転体２００の外部に配置される構成となっているので、移動体４００の外形が回転体２００の形状に依存することがなく、任意に設定することができる。
【００３３】
なお、この移動体旋回装置は、長さ方向にわたってスリットが設けられた円筒状の回転体と、この回転体に同心配置されており且つ外周面に螺旋状の溝部が設けられた円柱体と、回転体のスリットに挿入され、前記円柱体の溝部に移動可能に嵌まり込むランナ部を有する移動体と、回転体を回転させる駆動手段とを具備する限りどのような設計変更を行ってもかまわない。
【００３４】
ベース部１００については、設けるか否か任意である。ベース部１００を設けない場合には、遊戯装置等に回転体２００、円柱体３００及び駆動手段５００を備えるようにすれば良い。また、上ベース１２０、下ベース１１０のいずれか一方のみとすることも勿論可能である。
【００３５】
回転体２００については、３つのスリット２１０が設けられているとしたが、少なくとも１つのスリット２１０が設けられていれば良い。
【００３６】
円柱体３００については、外周面に螺旋状の凸脈３１０が設けられているとしたが、溝部が設けられていれば良い。円柱体３００の上側嵌合部３２０及び下側嵌合部３３０については、これに替えて突起を設けることができる。この場合、下ベース１１０の凹部１１１の底面及び蓋体６００の板部６１０には、前記突起が嵌合する嵌合部を設ける。なお、突起１１１ａ、突起６１１及び前記突起の形状は任意であり、上側嵌合部３２０、下側嵌合部３３０及び前記嵌合部はその形状に応じて適宜設計変更すれば良い。
【００３７】
移動体４００については、一つであるとしたが、複数であっても良い。この場合には、回転体２００の各スリット２１０に挿入するようにしても良いし、一つのスリット２１０に複数の移動体４００を挿入するようにしても良い。また、軸部４１０の中間部に板状の第１、２の凸部４１２、４１３が設けられているとしたが、設けるか否か任意である。凹部４１４については設けることが好ましい( 即ち、設けなくても良い) 。この凹部４１４は板状の第１、２の凸部４１２、４１３の間に設けるものだけに限定されず、回転体２００の端面が当接可能な凹部であれば良い。例えば、図１０に示すように、凹部４１４を移動体４００の軸部４１０の中間部に直接設けることができる。
【００３８】
移動体本体４２０の形状については任意である。また、移動体本体４２０は軸部４１０の後端部に回転可能に取り付けるようにしても良い。この場合、移動体本体４２０が旋回する遠心力により回転するので、移動体本体４２０に更に多彩な動作を与えることができる。
【００３９】
駆動手段５００については、回転体２００を回転させ得る構成である限りどのようなものを用いても良い。よって、モータ５１０と出力ギヤとを平行に配置するようにすることも可能である。
【００４０】
上記実施例では、移動体旋回装置はパチンコ機である遊戯機器に備えられるとして説明したが、その他のパチスロ機や業務用のゲーム機等の遊戯機器に備えることが可能であることはいう迄もない。
【００４１】
また、移動体旋回装置は、駆動手段の駆動を制御する制御部を備えることが可能である。この場合、前記遊戯装置に備えられる装置としてだけではなく、単独の玩具や装飾装置等とすることができるので、従来例の玩具と比べて多彩な用途に使用することが可能になる。なお、制御部に替えて、モータ５１０のＯＮ／ＯＦＦスイッチや回転方向を切り換える切り換えスイッチ等を用いることができることはいう迄もない。
【図面の簡単な説明】
【００４２】
【図１】本発明の実施の形態に係る移動体旋回装置の斜視図である。
【図２】同装置の分解斜視図である。
【図３】図１のＡ−Ａ断面図である。
【図４】同装置のベース部の各部を示す図であって、( ａ) が下ベースの斜視図、( ｂ) が上ベースの斜視図である。
【図５】同装置の円柱体の斜視図である。
【図６】同装置の回転体の斜視図である。
【図７】同装置の移動体の斜視図である。
【図８】同装置の駆動手段の側面図である。
【図９】同装置の蓋体の斜視図である。
【図１０】同装置の移動体の設計変更例を示す斜視図である。
【符号の説明】
【００４３】
１００  ベース部
１１０  下ベース
１２０  上ベース
２００  回転体
２１０  スリット
３００  円柱体
３０１  溝部
４００  移動体
４１１  ランナ部
５００  駆動手段
【図１】
2006141605.tif 000003
【図２】
2006141605.tif 000004
【図３】
2006141605.tif 000005
【図４】
2006141605.tif 000006
【図５】
2006141605.tif 000007
【図６】
2006141605.tif 000008
【図７】
2006141605.tif 000009
【図８】
2006141605.tif 000010
【図９】
2006141605.tif 000011
【図１０】
2006141605.tif 000012